(57)【要約】【課題】  内蔵されている電池が少なくなった場合であっても、専用充電器の設置場所に戻ることなく、継続して携帯通信端末を使用することを目的とする。【解決手段】  電力源としての電池と、該電池の電力の他の携帯通信端末への供給または当該他の携帯通信端末からの電力の受電を行う電力授受手段と、前記電力授受手段に対して他の携帯通信端末への電力の供給または当該他の携帯通信端末からの電力の受電を指示する制御手段とを具備する、という手段を採用する。【選択図】      図１
2006311670.tif 000002
【特許請求の範囲】
【請求項１】
電力源としての電池と、
該電池の電力の他の携帯通信端末への供給または当該他の携帯通信端末からの電力の受電を行う電力授受手段と、
前記電力授受手段に対して他の携帯通信端末への電力の供給または当該他の携帯通信端末からの電力の受電を指示する制御手段と
を具備することを特徴とする携帯通信端末。
【請求項２】
前記制御手段は、他の携帯通信端末との関係において自らが電力の供給側かまたは受電側かを判定し、当該判定結果に基づいて前記電力授受手段に対して他の携帯通信端末への電力の供給または当該他の携帯通信端末からの電力の受電を指示することを特徴とする請求項１記載の携帯通信端末。
【請求項３】
電力授受手段は、電力を他の携帯通信端末に供給するための供給用接続手段と、他の携帯通信端末から電力を受電するための受電用接続手段とを備え、
制御手段は、前記供給用接続手段に他の携帯通信端末が接続された場合は、自らを供給側と判断し、前記受電用接続手段に他の携帯通信端末が接続された場合は、自らを受電側と判断することを特徴とする請求項１または２記載の携帯通信端末。
【請求項４】
電池は充電可能な２次電池であり、
前記電力授受手段は、他の携帯通信端末から受電した電力を前記２次電池に充電する機能を有し、
前記制御手段は、自らが受電側である場合に、前記２次電池への充電を前記電力授受手段に指示することを特徴とする請求項１〜３いずれかに記載の携帯通信端末。
【請求項５】
前記制御手段は、自らが供給側である場合に、前記２次電池の電圧（供給側電池電圧）と他の携帯通信端末の２次電池の電圧（充電側電池電圧）とを比較し、両者が等しい電圧値になった場合に他の携帯通信端末への電力供給を停止するように前記電力授受手段に指示することを特徴とする請求項４記載の携帯通信端末。
【請求項６】
電力授受手段は、他の携帯通信端末に供給する電力を昇圧する昇圧手段を備え、
前記制御手段は、自らが供給側である場合において、供給側電池電圧が充電側電池電圧よりも低いときには、前記電力授受手段に昇圧を指示することを特徴とする請求項４または５記載の携帯通信端末。
【請求項７】
電池駆動される携帯通信端末における他の携帯通信端末への電力供給方法であって、
他の携帯通信端末が前記電力の供給側かまたは受電側かを判定し、
当該判定結果に基づいて前記他の携帯通信端末との間で電力の供給まはた受電を行うことを特徴とする携帯通信端末の電力供給方法。
【請求項８】
前記電池が充電可能な２次電池である場合において、当該２次電池の電圧を検出し、
自らが供給側である場合に、前記２次電池の電圧（供給側電池電圧）と他の携帯通信端末の２次電池の電圧（充電側電池電圧）とを比較し、両者が所定の電圧値になった場合に、他の携帯通信端末への電力供給を停止することを特徴とする請求項７記載の携帯通信端末の電力供給方法。
【発明の詳細な説明】
【技術分野】
【０００１】
本発明は、携帯通信端末及びその電力供給方法に関する。
【背景技術】
【０００２】
現在、携帯電話等の携帯通信端末は、リチウムイオン電池等の充電可能な２次電池を内蔵し、当該２次電池の電力によって駆動されるタイプのものが大多数を占めている。このような２次電池の充電には、携帯通信端末を購入した時に付属されている専用充電器が用いられている。この専用充電器は、１００Ｖのコンセントから電源を得て充電を行うタイプが多く、ユーザがそのような電源のない場所（例えば山や海等）に外出した場合には充電を行うことができず、常に電池残量に注意を払う必要があった。下記特許文献１には、ユーザに対して電池残量をわかりやすく通知する携帯端末についての技術が開示されている。
【特許文献１】特開２００４−３５７２２５号公報
【発明の開示】
【発明が解決しようとする課題】
【０００３】
一方、通常、携帯通信端末のユーザが外出する際に上記専用充電器を持ち歩くことはなく、外出中に電池が切れると専用充電器の設置場所（自宅等）に戻ってからでなければ充電をすることができなかった。従って、近年の携帯通信端末、特に携帯電話は、通話のみならず、画像データやメールの送受信、インターネットの閲覧、アドレス帳等の様々な機能を持っているが、上記のような電池切れによって、その利便性が損なわれてしまうという問題があった。
【０００４】
本発明は、上述した事情に鑑みてなされたものであり、内蔵されている電池が少なくなった場合であっても、専用充電器の設置場所に戻ることなく、継続して携帯通信端末を使用することを目的とする。
【課題を解決するための手段】
【０００５】
上記目的を達成するために、本発明では、携帯通信端末に係る第１の解決手段として、電力源としての電池と、該電池の電力の他の携帯通信端末への供給または当該他の携帯通信端末からの電力の受電を行う電力授受手段と、前記電力授受手段に対して他の携帯通信端末への電力の供給または当該他の携帯通信端末からの電力の受電を指示する制御手段とを具備する、という手段を採用する。
【０００６】
また、本発明では、携帯通信端末に係る第２の解決手段として、上記第１の解決手段において、前記制御手段は、他の携帯通信端末との関係において自らが電力の供給側かまたは受電側かを判定し、当該判定結果に基づいて前記電力授受手段に対して他の携帯通信端末への電力の供給または当該他の携帯通信端末からの電力の受電を指示する、という手段を採用する。
【０００７】
また、本発明では、携帯通信端末に係る第３の解決手段として、上記第１または第２の解決手段において、電力授受手段は、電力を他の携帯通信端末に供給するための供給用接続手段と、他の携帯通信端末から電力を受電するための受電用接続手段とを備え、制御手段は、前記供給用接続手段に他の携帯通信端末が接続された場合は、自らを供給側と判断し、前記受電用接続手段に他の携帯通信端末が接続された場合は、自らを受電側と判断する、という手段を採用する。
【０００８】
また、本発明では、携帯通信端末に係る第４の解決手段として、上記第１〜３いずれかの解決手段において、電池は充電可能な２次電池であり、前記電力授受手段は、他の携帯通信端末から受電した電力を前記２次電池に充電する機能を有し、前記制御手段は、自らが受電側である場合に、前記２次電池への充電を前記電力授受手段に指示する、という手段を採用する。
【０００９】
また、本発明では、携帯通信端末に係る第５の解決手段として、上記第４の解決手段において、前記制御手段は、自らが供給側である場合に、前記２次電池の電圧（供給側電池電圧）と他の携帯通信端末の２次電池の電圧（充電側電池電圧）とを比較し、両者が等しい電圧値になった場合に他の携帯通信端末への電力供給を停止するように前記電力授受手段に指示する、という手段を採用する。
【００１０】
また、本発明では、携帯通信端末に係る第６の解決手段として、上記第４または５の解決手段において、電力授受手段は、他の携帯通信端末に供給する電力を昇圧する昇圧手段を備え、前記制御手段は、自らが供給側である場合において、供給側電池電圧が充電側電池電圧よりも低いときには、前記電力授受手段に昇圧を指示する、という手段を採用する。
【００１１】
一方、本発明では、携帯通信端末の電力供給方法に係る第１の解決手段として、電池駆動される携帯通信端末における他の携帯通信端末への電力供給方法であって、他の携帯通信端末が前記電力の供給側かまたは受電側かを判定し、当該判定結果に基づいて前記他の携帯通信端末との間で電力の供給まはた受電を行う、という手段を採用する。
【００１２】
一方、本発明では、携帯通信端末の電力供給方法に係る第２の解決手段として、上記第１の解決手段において、前記電池が充電可能な２次電池である場合において、当該２次電池の電圧を検出し、自らが供給側である場合に、前記２次電池の電圧（供給側電池電圧）と他の携帯通信端末の２次電池の電圧（充電側電池電圧）とを比較し、両者が所定の電圧値になった場合に、他の携帯通信端末への電力供給を停止する、という手段を採用する。
【発明の効果】
【００１３】
本発明によれば、、内蔵された電池が保持する電力により駆動される携帯通信端末において、他の携帯通信端末との間で前記電力の授受を行う電力授受手段と、前記電力授受手段に対して前記電力の供給または受電を指示する制御手段とを具備しているため、携帯通信端末同士で前記電力の授受を行うことができる。従って、内蔵されている電池の残量が少なくなった場合であっても、専用充電器の設置場所に戻ることなく、継続して携帯通信端末を使用することができる。
【発明を実施するための最良の形態】
【００１４】
以下、図面を参照して、本発明の実施形態について説明する。
〔第１実施形態〕
図１は、本発明の第１実施形態に係る携帯通信端末（携帯電話）の機能構成を示すブロック図である。この図において、符号１は第１の携帯通信端末であり、無線通信部１ａ、キー入力部１ｂ、表示部１ｃ、音声入出力部１ｄ、外部供給用コネクタ１ｅ、外部受電用コネクタ１ｆ、制御部１ｇ、記憶部１ｈ、電源モード切替部１ｉ、２次電池１ｊ及び電源設定部１ｋから構成されている。
【００１５】
符号２は、第２の携帯通信端末であり、上記第１の携帯通信端末１と同一に構成されているので一部の図示は省略するが、無線通信部２ａ、キー入力部２ｂ、表示部２ｃ、音声入出力部２ｄ、外部供給用コネクタ２ｅ、外部受電用コネクタ２ｆ、制御部２ｇ、記憶部２ｈ、電源モード切替部２ｉ、２次電池２ｊ及び電源設定部２ｋから構成されている。なお、これら第１の携帯通信端末１及び第２の携帯通信端末２は、同一に構成されているので、以下では第１の携帯通信端末１について説明する。
【００１６】
第１の携帯通信端末１は、３つの電源供給モード（内部電源モード、外部供給モード、外部電源モード）を備えている。これら３つの電源供給モードのうち、内部電源モードは、自ら（つまり第１の携帯通信端末１）が備える２次電池１ｊの電力によって第１の携帯通信端末１を駆動するモードであり、外部供給モードは第１の携帯通信端末１の２次電池１ｊが保持する電力を他の携帯通信端末（つまり第２の携帯通信端末２）に供給するモードであり、また、外部電源モードは、他の携帯通信端末（第２の携帯通信端末２）から電力供給を受け、その電力によって自ら（第１の携帯通信端末１）を駆動するモードである。
【００１７】
無線通信部１ａは、制御部１ｇによる制御の下に所定の通信方式、例えばＣＤＭＡ（Code Division Multiple Access）方式等を用いて移動体通信基地局との間で音声信号やデータ信号に関する無線通信を行うものである。キー入力部１ｂは、ダイヤルキーボタン、ファンクションキーボタン、電源キーボタン等から構成されており、これらボタンの操作情報を操作信号として制御部１ｇに出力する。表示部１ｃは、例えば液晶のディスプレイ装置であり、制御部１ｇから入力された表示信号に基づいて各種メッセージや電話番号、画像等を表示する。音声入出力部１ｄは、通話中における通話音声を入出力するスピーカ及びマイクであり、音声信号を制御部１ｇに出力する。
【００１８】
外部供給用コネクタ１ｅは、上記外部供給モードにおいて２次電池１ｊの電力を第２の携帯通信端末２に供給するために第２の携帯通信端末２の外部受電用コネクタ２ｆと接続されるコネクタであり、電源設定部１ｋから入力された２次電池１ｊの電力及び制御部１ｇから入力された制御信号を外部受電用コネクタ２ｆにそれぞれ出力する。
【００１９】
外部受電用コネクタ１ｆは、上記外部電源モードにおいて第２の携帯通信端末２から電力供給を受けるために第２の携帯通信端末２の外部供給用コネクタ２ｅと接続するためのコネクタであり、当該外部供給用コネクタ２ｅを介して第２の携帯通信端末２から入力された電力を電源モード切替部１ｉに出力すると供に、第２の携帯通信端末２から入力された制御信号を制御部１ｇに出力する。上記外部供給用コネクタ１ｅが第２の携帯通信端末２の外部受電用コネクタ２ｆと接続されることにより、あるいは外部受電用コネクタ１ｆが第２の携帯通信端末２の外部供給用コネクタ２ｅと接続されることにより、第１の携帯通信端末１と第２の携帯通信端末２との間で制御信号ライン及び電源ラインが接続される。
【００２０】
制御部１ｇは、記憶部１ｈに予め記憶された所定の制御プログラム、キー入力部１ｂから入力される操作信号及び無線通信部１ａの通信状態等に基づいて、第１の携帯通信端末１の全体動作を制御するものである。また、この制御部１ｇは、上記制御プログラムに基づく特徴的な制御処理として、上記外部供給用コネクタ１ｅあるいは外部受電用コネクタ１ｆの接続状態に応じて上記電源供給モードの設定を指示する電源供給モード指示信号を電源モード切替部１ｉに出力する。すなわち、制御部１ｇは、電源供給モードを内部電源モードに設定する場合、内部電源モード信号を電源供給モード指示信号として電源モード切替部１ｉに出力し、外部供給モードに設定する場合は、外部供給モード信号を電源供給モード指示信号として出力し、また外部電源モードに設定する場合には、外部電源モード信号を電源供給モード指示信号として電源モード切替部１ｉに出力する。
【００２１】
さらに、制御部１ｇは、上記制御信号ラインを用いて第２の携帯通信端末２との間で電源情報（定格電圧）の提供／取得を行うと供に、第２の携帯通信端末２から取得した電源情報を電源設定部１ｋに出力する。
【００２２】
記憶部１ｈは、制御部１ｇが実行する上記制御プログラムを予め記憶すると供に、電話番号、メールアドレス及び自己の電源情報等の各種データを制御部１ｇによる制御の下に順次記憶するものであり、当該制御部１ｇの要求に応じて各種データを制御部１ｇに出力する。
【００２３】
電源モード切替部１ｉは、制御部１ｇから入力される上記電源供給モード指示信号に応じて電源供給モードを切替えて第１の携帯通信端末１の各部に電力を供給するものである。また、この電源モード切替部１ｉは、上記電源供給モード指示信号の１つである外部供給モード信号が制御部１ｇから入力された場合、２次電池１ｊの電力を電源設定部１ｋに出力する。２次電池１ｊは、リチウムイオン電池等の充電可能な電池であり、上記電源モード切替部１ｉに電力を出力する。電源設定部１ｋは、上記電源モード切替部１ｉから入力される電力の電圧値を制御部１ｇから入力される第２の携帯通信端末２の電源情報に基づいて調整し、当該調整後の電力を供給電力として外部供給用コネクタ１ｅに出力する。
【００２４】
次に、上記のように構成された第１の携帯通信端末１の要部動作について詳しく説明する。なお、以下に説明する第１の携帯通信端末１の動作は、第２の携帯通信端末２についても全く同様である。
【００２５】
図２は、第１の携帯通信端末１の動作フローチャート図である。制御部１ｇは、外部供給用コネクタ１ｅまたは外部受電用コネクタ１ｆの接続状態、つまり制御信号ラインの状態に基づいて第２の携帯通信端末２の外部供給用コネクタ２ｅまたは外部受電用コネクタ２ｆの何れかが接続されたことを判断する（ステップＳ１）。すなわち、外部供給用コネクタ２ｅまたは外部受電用コネクタ２ｆが外部供給用コネクタ１ｅまたは外部受電用コネクタ１ｆに接続されると、電圧レベル等、制御信号ラインの状態が変化するので、制御部１ｇは、このような制御信号ラインの状態変化を検知することにより外部供給用コネクタ２ｅまたは外部受電用コネクタ２ｆの接続を判断する。
【００２６】
そして、この判断が「ＮＯ」の場合、制御部１ｇは、内部電源モード信号を電源モード切替部１ｉに出力し、電源供給モードを内部電源モードに設定させる（ステップＳ２）。すなわち、電源モード切替部１ｉは、制御部１ｇから内部電源モード信号が入力されると、２次電池１ｊが保持する電力を第１の携帯通信端末１の各部に供給する。
【００２７】
一方、ステップＳ１の判断が「ＹＥＳ」の場合には、制御部１ｇは、外部供給用コネクタ１ｅに第２の携帯通信端末２の外部受電用コネクタ２ｆが接続されたのか、または外部受電用コネクタ１ｆに第２の携帯通信端末２の外部供給用コネクタ２ｅが接続されたのかを検知することにより、第１の携帯通信端末１を供給側とすべきか、または受電側とすべきかを判断する（ステップＳ３）。すなわち、制御部１ｇは、例えば外部供給用コネクタ１ｅに外部受電用コネクタ２ｆが接続された場合における制御信号ラインの状態と、外部受電用コネクタ１ｆに外部供給用コネクタ２ｅが接続された場合における制御信号ラインの状態との差異に基づいて供給側／受電側を判断する。
【００２８】
そして、制御部１ｇは、上記ステップＳ３の判断が「供給側」の場合、電源供給モードを外部供給モードに設定させる処理（外部供給モード設定処理）を実行し（ステップＳ４）、一方、ステップＳ３の判断が「受電側」の場合には、電源供給モードを外部電源モードに設定させる処理（外部電源モード設定処理）を実行する（ステップＳ５）。
【００２９】
次に、このような第１の携帯通信端末１の制御部１ｇによって実行される外部供給モード設定処理及び外部電源モード設定処理の詳細について、図３のフローチャートを参照して説明する。なお、このフローチャートは、第１の携帯通信端末１が外部供給モード（供給側）、第２の携帯通信端末２が外部電源モード（受電側）の場合を示している。
【００３０】
上述したように、第１の携帯通信端末１及び第２の携帯通信端末２は同一に構成されているので、外部供給用コネクタ１ｅと外部受電用コネクタ２ｆとが接続されると、第１の携帯通信端末１の制御部１ｇは、「供給側」と判断して外部供給モード設定処理を実行するが、第２の携帯通信端末２の制御部２ｇは、「受電側」と判断して外部電源モード設定処理を実行する。この場合における制御部２ｇの外部電源モード設定処理は、制御部１ｇの外部電源モード設定処理と全く同様であり、よって図３のフローチャートに示されている第２の携帯通信端末２の制御部２ｇにおける処理（つまり外部電源モード設定処理）は、第１の携帯通信端末１の制御部１ｇにおける外部電源モード設定処理と同一である。
【００３１】
まず、第１の携帯通信端末１の制御部１ｇは、第２の携帯通信端末２の制御部２ｇに制御信号ラインを介してコネクタ接続確認通知を出力する（ステップＳ１０）。第２の携帯通信端末２の制御部２ｇは、上記コネクタ接続確認通知が入力されると、記憶部２ｈに記憶されている電源情報を取得して第１の携帯通信端末１の制御部１ｇに出力する（ステップＳ１１）。
【００３２】
続いて、制御部１ｇは、電力供給時における不要な回路の電源をＯＦＦにする機能（供給時電源ＯＦＦ機能）が設定されているか否かを判定する（ステップＳ１２）。このような供給時電源ＯＦＦ機能の設定は、予めユーザによるキー入力部１ｂの操作により第１の携帯通信端末１に設定されているものである（つまり制御部１ｇにより記憶部１ｈに上記設定情報が記憶される）。この設定により電力供給時における第１の携帯通信端末１の無駄な電力消費を抑えることができる。制御部１ｇは、上記供給時電源ＯＦＦ機能が設定されている場合（ステップＳ１２「ＹＥＳ」）、電源モード切替部１ｉに外部供給モード信号と共に、電源ＯＦＦ信号を出力する（ステップＳ１３）。電源モード切替部１ｉは、外部供給モード信号が入力されると２次電池１ｊに保持されている電力を電源設定部１ｋに出力し、また、電源ＯＦＦ信号が入力されると不要な回路への電力供給を停止する。なお、不要な回路の電源をＯＦＦにする前に、今まで起動していたアプリケーションの終了やデータの保存処理等を自動で行う機能を持たせることで安全に電源ＯＦＦすることが望ましい。
【００３３】
一方、ステップＳ１２において「ＮＯ」と判断された場合、すなわち供給時電源ＯＦＦ機能が設定されていない場合、制御部１ｇは、電源モード切替部１ｉに外部供給モード信号のみを出力する（ステップＳ１４）。この場合、電源モード切替部１ｉは、外部供給モード信号が入力されると２次電池１ｊに保持されている電力を電源設定部１ｋに出力すると共に、当該電力を第１の携帯通信端末１の各部に供給する。
【００３４】
そして、制御部１ｇは、第２の携帯通信端末２から取得した電源情報を電源調整部１ｋに出力する（ステップＳ１５）。電源設定部１ｋは、上記電源情報に基づいて電源モード切替部１ｉから入力された２次電池１ｊの電力（電圧値）を調整し、供給電力として外部供給用コネクタ１ｅを介して第２の携帯通信端末２に出力する。
【００３５】
制御部１ｇは、第２の携帯通信端末２の制御部２ｇに供給完了通知を出力し（ステップＳ１６）、制御部２ｇは、上記供給完了通知が入力されると自己（つまり第２の携帯通信端末２）が備える電源モード切替部２ｉに外部電源モード信号を出力する（ステップＳ１７）。電源モード切替部２ｉは、上記外部電源モード信号が入力されると２次電池２ｊの使用を停止し、外部受電用コネクタ２ｆを介して第１の携帯通信端末１から供給される供給電力を第２の携帯通信端末２の各部に供給する。以上の動作により、第１の携帯通信端末１と第２の携帯通信端末２との間で電力の授受が行われる（ステップＳ１８）。
【００３６】
上記のような電力の授受は、第１の携帯通信端末１の外部供給用コネクタ１ｅと第２の携帯通信端末２の外部受電用コネクタ２ｆとの接続が外されるまで行われる。すなわち、制御部１ｇ及び制御部２ｇは、制御信号ラインの状態変化を検知することにより、上記コネクタが外されたと判断する。このように制御部１ｇ及び制御部２ｇは、上記コネクタが外されたことを検知すると（ステップＳ１９「ＹＥＳ」、Ｓ２０「ＹＥＳ」）、図２のステップＳ１の動作に移行する（ステップＳ２１、Ｓ２２）。なお、上記ステップＳ１９及びＳ２０において、「ＮＯ」と判断された場合は、引き続き電力の授受が行われる。
【００３７】
以上のように、本第１実施形態によれば、第２の携帯通信端末２の２次電池２ｊの電力残量が少なくなった場合、第１の携帯通信端末１から第２の携帯通信端末２へ直接電力供給することができる。従って、専用充電器を持ち歩く必要もなく、同じ構成を持つ携帯通信端末同士であればどこででも電力の授受を行え、継続して携帯通信端末を使用することができる。
【００３８】
〔第２実施形態〕
次に、本発明の第２実施形態について説明する。
図４に第２実施形態における第１の携帯通信端末１０の機能構成ブロック図を示す。この図において、第１実施形態と同じ構成要素には同一符号を付し、説明を省略する。この図のように第２実施形態の第１の携帯通信端末１０は、第１の実施形態における第１の携帯通信端末１が備える構成要素に加え、電池電圧検出部１０ａ、スイッチ１０ｂ、昇圧回路１０ｃを新たに備えている。また、図示は省略するが、第２の携帯通信端末２０も同様の構成であり、電池電圧検出部２０ａ、スイッチ２０ｂ、昇圧回路２０ｃを備えている。なお、これら第１の携帯通信端末１０及び第２の携帯通信端末２０は、同一に構成されているので、以下では第１の携帯通信端末１０について説明する。
【００３９】
電池電圧検出部１０ａは、２次電池１ｊの電圧を検出し、当該電池電圧を示す電池電圧情報を制御部１ｇに出力する。スイッチ１０ｂの入力側端子は電源設定部１ｋの出力端と接続されており、出力側端子の一端は昇圧回路１０ｃの入力端と接続され、出力側端子の他端は外部供給用コネクタ１ｅと接続されている。このスイッチ１０ｂは、制御部１ｇから入力される切り換え信号に基づいて、電源設定部１ｋから出力される供給電力を昇圧回路１０ｃに入力するか否かの切り換えを行うものである。昇圧回路１０ｃは、電源設定部１ｋから入力された供給電力の電圧を昇圧する回路である。
【００４０】
第１の携帯通信端末１０は、３つの電源供給モード（内部電源モード、外部供給モード、外部充電モード）を備えている。これら３つの電源供給モードのうち、内部電源モード及び外部供給モードは、第１実施形態と同じモードである。外部充電モードとは、他方の携帯通信端末（第２の携帯通信端末２０）から電力供給を受け、その電力を自ら（第１の携帯通信端末１０）が備える２次電池１ｊに充電するモードである。
【００４１】
第２実施形態では、上記のような外部充電モードを備えることから第１実施形態とは以下の点で異なっている。
【００４２】
第１の携帯通信端末１０の記憶部１ｈには、電源情報の代わりに２次電池１ｊについての電池規格情報（充電電圧、充電電流、電池容量、電池の種類等）が記憶されている。また、第１の携帯通信端末１０の制御部１ｇは、電源供給モードを外部充電モードに設定する場合、外部充電モード信号を電源供給モード指示信号として電源モード切替部１ｉに出力する。電源モード切替部１ｉは、制御部１ｇから上記外部充電モード信号が入力された場合、外部受電用コネクタ１ｆに接続された他方の携帯通信端末（第２の携帯通信端末２０）から供給される供給電力を２次電池１ｊに出力して充電を行う。
【００４３】
次に、上記のように構成された第１の携帯通信端末１０の要部動作について詳しく説明する。なお、以下に説明する第１の携帯通信端末１０の動作は、第２の携帯通信端末２０についても全く同様である。
【００４４】
図５は、第１の携帯通信端末１０の動作フローチャート図である。制御部１ｇは、外部供給用コネクタ１ｅまたは外部受電用コネクタ１ｆの接続状態、つまり制御信号ラインの状態に基づいて第２の携帯通信端末２０の外部供給用コネクタ２ｅまたは外部受電用コネクタ２ｆの何れかが接続されたことを判断する（ステップＳ３０）。すなわち、外部供給用コネクタ２ｅまたは外部受電用コネクタ２ｆが外部供給用コネクタ１ｅまたは外部受電用コネクタ１ｆに接続されると、電圧レベル等、制御信号ラインの状態が変化するので、制御部１ｇは、このような制御信号ラインの状態変化を検知することにより外部供給用コネクタ２ｅまたは外部受電用コネクタ２ｆの接続を判断する。
【００４５】
そして、この判断が「ＮＯ」の場合、制御部１ｇは、内部電源モード信号を電源モード切替部１ｉに出力し、電源供給モードを内部電源モードに設定させる（ステップＳ３１）。すなわち、電源モード切替部１ｉは、制御部１ｇから内部電源モード信号が入力されると、２次電池１ｊが保持する電力を第１の携帯通信端末１０の各部に供給する。
【００４６】
一方、ステップＳ３０の判断が「ＹＥＳ」の場合には、制御部１ｇは、外部供給用コネクタ１ｅに第２の携帯通信端末２０の外部受電用コネクタ２ｆが接続されたのか、または外部受電用コネクタ１ｆに第２の携帯通信端末２０の外部供給用コネクタ２ｅが接続されたのかを検知することにより、第１の携帯通信端末１０を供給側とすべきか、または受電側とすべきかを判断する（ステップＳ３２）。すなわち、制御部１ｇは、例えば外部供給用コネクタ１ｅに外部受電用コネクタ２ｆが接続された場合における制御信号ラインの状態と、外部受電用コネクタ１ｆに外部供給用コネクタ２ｅが接続された場合における制御信号ラインの状態との差異に基づいて供給側／受電側を判断する。
【００４７】
そして、制御部１ｇは、上記ステップＳ３２の判断が「供給側」の場合、電源供給モードを外部供給モードに設定させる処理（外部供給モード設定処理）を実行し（ステップＳ３３）、一方、ステップＳ３２の判断が「受電側」の場合には、電源供給モードを外部充電モードに設定させる処理（外部充電モード設定処理）を実行する（ステップＳ３４）。
【００４８】
次に、このような制御部１ｇによって実行される外部供給モード設定処理及び外部充電モード設定処理の詳細について、図６のフローチャートを参照して説明する。なお、このフローチャートは、第１の携帯通信端末１０が外部供給モード（供給側）、第２の携帯通信端末２０が外部受電モード（充電側）の場合を示している。
【００４９】
上述したように、第１の携帯通信端末１０及び第２の携帯通信端末２０は同一に構成されているので、外部供給用コネクタ１ｅと外部受電用コネクタ２ｆとが接続されると、第１の携帯通信端末１０の制御部１ｇは、「供給側」と判断して外部供給モード設定処理を実行するが、第２の携帯通信端末２０の制御部２ｇは、「充電側」と判断して外部充電モード設定処理を実行する。この場合における制御部２ｇの外部充電モード設定処理は、制御部１ｇの外部充電モード設定処理と全く同様であり、よって図６のフローチャートに示されている第２の携帯通信端末２０の制御部２ｇにおける処理（つまり外部電源モード設定処理）は、第１の携帯通信端末１０の制御部１ｇにおける外部充電モード設定処理と同一である。
【００５０】
まず、第１の携帯通信端末１０の制御部１ｇは、第２の携帯通信端末２０の制御部２ｇに制御信号ラインを介してコネクタ接続確認通知を出力する（ステップＳ４０）。制御部２ｇは、上記コネクタ接続確認通知が入力されると、記憶部２ｈに記憶されている電池規格情報を取得して制御部１ｇに出力する（ステップＳ４１）。
【００５１】
続いて、制御部１ｇは、電源モード切替部１ｉに外部供給モード信号を出力する（ステップＳ４２）。電源モード切替部１ｉは、外部供給モード信号が入力されると２次電池１ｊに保持されている電力を電源設定部１ｋに出力すると共に、当該電力を第１の携帯通信端末１０の各部に供給する。
【００５２】
そして、制御部１ｇは、第２の携帯通信端末２０から取得した電池規格情報を電源設定部１ｋに出力する（ステップＳ４３）。電源設定部１ｋは、上記電池規格情報に基づいて電源モード切替部１ｉから入力された２次電池１ｊの電力（電圧値及び電流値）を調整し、供給電力として外部供給用コネクタ１ｅを介して第２の携帯通信端末２０に出力する（ステップＳ４４）。なお、この時、スイッチ１０ｂでは入力側端子と出力側端子の他端とが導通している。
【００５３】
制御部１ｇは、制御部２ｇに供給完了通知を出力し（ステップＳ４５）、制御部２ｇは、上記供給完了通知が入力されると自己（つまり第２の携帯通信端末２０）が備える電源モード切替部２ｉに外部充電モード信号を出力する（ステップＳ４６）。電源モード切替部２ｉは、上記外部充電モード信号が入力されると外部受電用コネクタ２ｆを介して第１の携帯通信端末１０から供給される供給電力を２次電池２ｊに出力して充電を開始する（ステップＳ４７）。
【００５４】
そして、制御部１ｇは、外部供給モードがモード１かモード２かを判定し、モード１であればステップＳ４９に移行し、モード２であればステップＳ５０に移行する（ステップＳ４８）。これら外部供給モードにおけるモード１及びモード２は、予めユーザによるキー入力部１ｂの操作により第１の携帯通信端末１０に設定されているものである（つまり制御部１ｇにより記憶部１ｈに上記モード設定が記憶される）。
【００５５】
上記ステップＳ４８において、外部供給モードがモード１に設定されている場合、制御部１ｇは、制御部２ｇから２次電池２ｊの電池電圧情報（充電側電池電圧）を取得し、自己（第１の携帯通信端末１０）の２次電池１ｊの電池電圧情報（供給側電池電圧）と比較して、供給側電池電圧と充電側電池電圧とが等しいか否かを判定する（ステップＳ４９）。このステップＳ４９において、「ＮＯ」と判定された場合、すなわち、上記供給側電池電圧と充電側電池電圧とが等しくなければ引き続き外部供給モード信号を電源モード切替部１ｉに出力して電力供給を継続する。
【００５６】
一方、ステップＳ４９において、「ＹＥＳ」と判定された場合、すなわち、供給側電池電圧と充電側電池電圧とが等しくなった場合、制御部１ｇは、外部供給モード信号の出力を停止して第２の携帯通信端末２０への電力供給を終了する（ステップＳ５６）。
【００５７】
このように、外部供給モードにおけるモード１は、供給側電池電圧と充電側電池電圧とを常に監視し、それらの電池電圧値に基づいて電力供給を自動的に解除することで供給側の携帯端末、すなわち第１の携帯通信端末１０の電池残量をある程度残しておくモードである。このモード１は、第１の携帯通信端末１０が満充電状態にあり、友達等の携帯通信端末（第２の携帯通信端末２０）の電池残量が少ない場合に、臨時で仮充電を行う時に使用すると便利である。
【００５８】
一方、ステップＳ４８において、外部供給モードがモード２に設定されている場合、制御部１ｇは、電源モード切替部１ｉに外部供給モード信号と共に、電源ＯＦＦ信号を出力する（ステップＳ５０）。電源モード切替部１ｉは、上記電源ＯＦＦ信号が入力されると自己（第１の携帯通信端末１０）における不要な回路への電力供給を停止する。なお、不要な回路の電源をＯＦＦにする前に、今まで起動していたアプリケーションの終了やデータの保存処理等を自動で行う機能を持たせることで安全に電源ＯＦＦすることが望ましい。
【００５９】
そして、制御部１ｇは、制御部２ｇから２次電池２ｊの電池電圧情報（充電側電池電圧）を取得し、自己の２次電池１ｊの電池電圧（供給側電池電圧）との比較を行う（ステップＳ５１）。充電側電池電圧が供給側電池電圧より高くなった場合（ステップＳ５１「ＹＥＳ」）、制御部１ｇは、スイッチ１０ｂに切り換え信号を出力してスイッチングを行わせる。これにより、スイッチ１０ｂにおいて入力側端子と出力側端子の一端とが導通し、電源設定部１ｋから出力される供給電力は昇圧回路１０ｃに入力される。昇圧回路１０ｃは、供給電力の電圧の昇圧を行った後、外部供給用コネクタ１ｅに出力する（ステップＳ５２）。
【００６０】
なお、ステップＳ５１において「ＮＯ」と判定された場合、すなわち充電側電池電圧が供給側電池電圧より低い場合は、制御部１ｇは、スイッチ１０ｂに切り換え信号を出力せず、電源設定部１ｋから出力される供給電力は、昇圧回路１０ｃを介さずに第２の携帯通信端末２０に供給される。このように、供給側電池電圧より充電側電池電圧の方が高くなった場合であっても、昇圧回路を介して供給電力の電圧を高くすることにより、継続して充電を行うことができる。
【００６１】
そして、第２の携帯通信端末２０の制御部２ｇは、電池電圧情報から充電が完了したか否かを判定する（ステップＳ５３）。このステップＳ５３において「ＹＥＳ」と判定された場合、すなわち充電が完了した場合、制御部２ｇは、充電完了通知を第１の携帯通信端末１０の制御部１ｇに出力する（ステップＳ５４）。制御部１ｇは、上記充電完了通知を取得すると充電完了と判断して（ステップＳ５５「ＹＥＳ」）、外部供給モード信号の出力を停止して第２の携帯通信端末２０への電力供給を終了する（ステップＳ５６）。上記ステップＳ５１及びＳ５２の動作は、制御部１ｇに充電完了通知が入力されるまで繰り返される。
【００６２】
このように、外部供給モードにおけるモード２は、供給側の携帯通信端末、すなわち第１の携帯通信端末１０の２次電池１ｊが保持する電力を可能な限り第２の携帯通信端末２０に供給（充電）するモードである。
【００６３】
また、充電完了後は、第１実施形態と同様に、第１の携帯通信端末１０の制御部１ｇ及び第２の携帯通信端末２０の制御部２ｇは、外部供給用コネクタ１ｅと外部受電用コネクタ２ｆとが外されたことを検知すると、図５のステップＳ３０の動作に移行する。
【００６４】
以上のように、本第２実施形態によれば、第２の携帯通信端末２０の２次電池２ｊの電力残量が少なくなった場合、第１の携帯通信端末１０から第２の携帯通信端末２０へ直接電力供給して充電することができる。従って、専用充電器を持ち歩く必要もなく、同じ構成を持つ携帯通信端末同士であればどこででも充電を行え、継続して携帯通信端末を使用することができる。
【００６５】
図７は、上記第１実施形態及び第２実施形態で説明した機能構成を備える携帯通信端末の具体例を示す外観図である。外部供給用コネクタ１ｅは、雌側のコネクタであり、図７（ａ）に示すように第１の携帯通信端末１の表面のキー入力部１ｂの下方に設けられている。一方、外部受電用コネクタ１ｆは、雄側のコネクタであり、第１の携帯通信端末１の裏面の下方に設けられている。従って、第１の携帯通信端末１を電力供給側とすると、図７（ｂ）に示す側面図のように、第１の携帯通信端末１の外部供給用コネクタ１ｅと第２の携帯通信端末２の外部受電用コネクタ２ｆとが接続される。このように携帯通信端末同士を直接接続することで、接続用のケーブルが必要なく、また、ユーザは電力供給側の携帯通信端末の操作を行えないので安全に電力の授受を行うことができる。
【００６６】
なお、本発明は、上記実施形態に限定されるものではなく、例えば以下のような変形例が考えられる。
【００６７】
（１）上記第１及び第２実施形態では、１つの携帯通信端末に２つのコネクタを備えて、電力供給側と電力受電側（充電側）との携帯通信端末を直接接続していたが、これに限らず、専用ケーブルを用いて携帯通信端末同士を接続しても良いし、また、非接触方式によって電力の授受を行っても良い。
【００６８】
（２）上記第１及び第２実施形態では、一方の携帯通信端末に備えられた２つのコネクタの内、どちらのコネクタが他方の携帯通信端末と接続されたかを検知することで、どちらの携帯通信端末が電力供給側か受電側（充電側）かを判断していたが、これに限らず、例えば、コネクタが一個の場合には、両者の携帯通信端末の電池残量を比較して、残量が多い方を電力供給側と設定し、少ない方を受電側（充電側）と設定するような機能を持たせても良い。
【００６９】
また、上記第１及び第２実施形態のように携帯通信端末が携帯電話であり、通信機能を持っている場合は、電波の受信強度を計測し、受信強度が弱い方を電力供給側と設定し、受信強度が強い方を電力受電側（充電側）と設定するような機能を持たせても良い。
【００７０】
（３）上記第１実施形態では、携帯通信端末の電源として充電可能な２次電池を用いたが、これに限らず、１次電池を用いても良い。
【図面の簡単な説明】
【００７１】
【図１】本発明の第１実施形態に係わる携帯通信端末（第１の携帯通信端末１）の構成ブロック図である。
【図２】本発明の第１実施形態における第１の携帯通信端末１及び第２の携帯通信端末２の動作フローチャート図である。
【図３】本発明の第１実施形態における第１の携帯通信端末１及び第２の携帯通信端末２の動作フローチャート図である。
【図４】本発明の第２実施形態に係わる携帯通信端末（第１の携帯通信端末１０）の構成ブロック図である。
【図５】本発明の第２実施形態における第１の携帯通信端末１０及び第２の携帯通信端末２０の動作フローチャート図である。
【図６】本発明の第２実施形態における第１の携帯通信端末１０及び第２の携帯通信端末２０の動作フローチャート図である。
【図７】本発明の第１実施形態及び第２実施形態で説明した機能構成を備える携帯通信端末の外観図である。
【符号の説明】
【００７２】
１、１０…第１の携帯通信端末、２、２０…第２の携帯通信端末、１ａ、２ａ…無線通信部、１ｂ、２ｂ…キー入力部、１ｃ、２ｃ…表示部、１ｄ、２ｄ…音声入出力部、１ｅ、２ｅ…外部供給用コネクタ、１ｆ，２ｆ…外部受電用コネクタ、１ｇ，２ｇ…制御部、１ｈ、２ｈ…記憶部、１ｉ、２ｉ…電源モード切替部、１ｊ，２ｊ…２次電池、１ｋ、２ｋ…電源設定部、１０ａ、２０ａ…電池電圧検出部、１０ｂ、２０ｂ…スイッチ、１０ｃ、２０ｃ…昇圧回路
【図１】
2006311670.tif 000003
【図２】
2006311670.tif 000004
【図３】
2006311670.tif 000005
【図４】
2006311670.tif 000006
【図５】
2006311670.tif 000007
【図６】
2006311670.tif 000008
【図７】
2006311670.tif 000009